(57)【要約】      （修正有）【課題】１つの受光ユニットが故障した場合も、他の受光ユニットでのデータ取得には支障なく、又受光ユニットの配置に制約がなく、受光ユニットの識別が容易な照度測定装置を提供する。【解決手段】無線ＬＡＮ親機３を有する信号処理装置１と、無線ＬＡＮ端末５を有すると共に個々のＩＰアドレスを有する複数の受光器４とを具備し、前記無線ＬＡＮ親機と前記無線ＬＡＮ端末とを介し、前記信号処理装置と前記受光器間で情報通信可能とした照度測定装置であって、前記信号処理装置は前記受光器に対応するＩＰアドレスを保持し、該ＩＰアドレスを含む識別指令を発し、前記受光器は告知手段を有し、前記識別指令のＩＰアドレスが自己のＩＰアドレスと合致する場合に前記告知手段を作動させる様構成した。【選択図】図１
2013156126.tif 000002
【特許請求の範囲】
【請求項１】
無線ＬＡＮ親機を有する信号処理装置と、無線ＬＡＮ端末を有すると共に個々のＩＰアドレスを有する複数の受光器とを具備し、前記無線ＬＡＮ親機と前記無線ＬＡＮ端末とを介し、前記信号処理装置と前記受光器間で情報通信可能とした照度測定装置であって、前記信号処理装置は前記受光器に対応するＩＰアドレスを保持し、該ＩＰアドレスを含む識別指令を発し、前記受光器は告知手段を有し、前記識別指令のＩＰアドレスが自己のＩＰアドレスと合致する場合に前記告知手段を作動させる様構成したことを特徴とする照度測定装置。
【請求項２】
前記信号処理装置はＩＰ設定部を具備し、該ＩＰ設定部により前記受光器のＩＰアドレスを設定可能とした請求項１の照度測定装置。
【請求項３】
前記告知手段は、バックライトを有する液晶表示部であり、前記バックライトを点滅する様にした請求項１又は請求項２の照度測定装置。
【請求項４】
前記受光器が所定の配置で設置され、前記信号処理装置は前記受光器のＩＰアドレスを配置の状況に対応して変更可能とした請求項２又は請求項３の照度測定装置。
【発明の詳細な説明】
【技術分野】
【０００１】
本発明は、複数箇所の照度を同時に測定する照度測定装置に関するものである。
【背景技術】
【０００２】
プロジェクタの映出す映像のスクリーン上での斑を測定し、或は映画館、劇場等の空間照度を測定する場合に、複数の点、箇所を同時に測定する照度測定装置が用いられる。
【０００３】
従来、複数の点の照度を同時に測定するものとして多点測光システムがあり、該多点測光システムでは複数の受光ユニットを有する受光装置と、該受光装置で測定して得られた情報を処理する信号処理装置とを有し、前記受光装置と前記信号処理装置との間の情報の授受は無線通信で行う構成となっている。又、複数の受光ユニットは通信ケーブルによりカスケード接続され、更に各ユニットはロータリスイッチにより与えられた番号で識別される様になっていた。
【０００４】
従来の多点測光システムでは、受光ユニットが通信ケーブルによりカスケード接続されているので、１つの受光ユニットが故障すると、残りの受光ユニットによるデータの取得もできない。又、受光ユニットが通信ケーブルで接続されている為、受光ユニットの配置が通信ケーブルにより制約を受ける。更に、映画館、劇場等の大きな空間照度を測定する場合にはケーブル長の制限もあり、空間の全域に亘って受光ユニットを配置することは困難であり、大きな空間の照度を一度に測定することは困難であった。
【０００５】
又、受光ユニットの識別番号は、ロータリスイッチにより与えられており、何処の位置にどの受光ユニットを配置したかは、作業者がメモ等で記録しておく必要があり、更に離れた位置からどの受光ユニットがどの識別番号であるかを確認することも又、困難であった。
【先行技術文献】
【特許文献】
【０００６】
【特許文献１】特開２０００−２０５９４７号公報
【発明の概要】
【発明が解決しようとする課題】
【０００７】
本発明は斯かる実情に鑑み、１つの受光ユニットが故障した場合も、他の受光ユニットでのデータ取得には支障なく、又受光ユニットの配置に制約がなく、受光ユニットの識別が容易な照度測定装置を提供するものである。
【課題を解決するための手段】
【０００８】
本発明は、無線ＬＡＮ親機を有する信号処理装置と、無線ＬＡＮ端末を有すると共に個々のＩＰアドレスを有する複数の受光器とを具備し、前記無線ＬＡＮ親機と前記無線ＬＡＮ端末とを介し、前記信号処理装置と前記受光器間で情報通信可能とした照度測定装置であって、前記信号処理装置は前記受光器に対応するＩＰアドレスを保持し、該ＩＰアドレスを含む識別指令を発し、前記受光器は告知手段を有し、前記識別指令のＩＰアドレスが自己のＩＰアドレスと合致する場合に前記告知手段を作動させる様構成した照度測定装置に係るものである。
【０００９】
又本発明は、前記信号処理装置はＩＰ設定部を具備し、該ＩＰ設定部により前記受光器のＩＰアドレスを設定可能とした照度測定装置に係るものである。
【００１０】
又本発明は、前記告知手段は、バックライトを有する液晶表示部であり、前記バックライトを点滅する様にした照度測定装置に係るものである。
【００１１】
又本発明は、前記受光器が所定の配置で設置され、前記信号処理装置は前記受光器のＩＰアドレスを配置の状況に対応して変更可能とした照度測定装置に係るものである。
【発明の効果】
【００１２】
本発明によれば、無線ＬＡＮ親機を有する信号処理装置と、無線ＬＡＮ端末を有すると共に個々のＩＰアドレスを有する複数の受光器とを具備し、前記無線ＬＡＮ親機と前記無線ＬＡＮ端末とを介し、前記信号処理装置と前記受光器間で情報通信可能とした照度測定装置であって、前記信号処理装置は前記受光器に対応するＩＰアドレスを保持し、該ＩＰアドレスを含む識別指令を発し、前記受光器は告知手段を有し、前記識別指令のＩＰアドレスが自己のＩＰアドレスと合致する場合に前記告知手段を作動させる様構成したので、１つの受光器が故障した場合も、他の受光ユニットでのデータ取得には支障なく、又前記受光器同士はケーブルで接続されていないので、受光器の配置に制約がなく、又信号処理装置側からの受光器の識別が容易である。
【００１３】
又本発明によれば、前記信号処理装置はＩＰ設定部を具備し、該ＩＰ設定部により前記受光器のＩＰアドレスを設定可能としたので、測定状況、受光器の数等に対応させてＩＰアドレスの設定が可能となり、設置した前記受光器の識別、確認が容易であると共に該受光器の数量、組合わせの自由度が増大する。
【００１４】
又本発明によれば、前記告知手段は、バックライトを有する液晶表示部であり、前記バックライトを点滅する様にしたので、別途告知手段を設ける必要がなく、装置構成を簡略化できる。
【００１５】
又本発明によれば、前記受光器が所定の配置で設置され、前記信号処理装置は前記受光器のＩＰアドレスを配置の状況に対応して変更可能としたので、前記ＩＰアドレスと配置位置の対応が容易となり、前記受光器の位置、配置の確認が容易となり、データ処理が簡単になり、誤作業が防止できる等の優れた効果を発揮する。
【図面の簡単な説明】
【００１６】
【図１】本発明の実施例に係る照度測定装置の概略を示す概念図である。
【図２】該照度測定装置の信号処理装置の概略構成図である。
【図３】該信号処理装置の受光器の概略構成図である。
【図４】本実施例に係る照度測定装置による照度測定を示す説明図である。
【発明を実施するための形態】
【００１７】
以下、図面を参照しつつ本発明の実施例を説明する。
【００１８】
先ず、図１に於いて本発明の実施例に係る照度測定装置の概略を説明する。
【００１９】
図１中、１は信号処理装置、２は受光装置を示している。
【００２０】
前記信号処理装置１は、例えばＰＣであり、無線ＬＡＮ親機３が内蔵され（以下、前記信号処理装置１に内蔵される無線ＬＡＮは子機も含めて無線ＬＡＮ親機と称す）、或は該無線ＬＡＮ親機３が別途付加されている。前記受光装置２は複数の受光器４を有し、各受光器４はそれぞれ単独で、照度を測定可能となっている。又該受光器４は、無線ＬＡＮ端末５を内蔵し、前記受光器４はそれぞれＩＰアドレスを有し、各受光器４は識別可能となっていると共に前記無線ＬＡＮ端末５、前記無線ＬＡＮ親機３を介して照度の測定情報を前記信号処理装置１と通信可能となっている。
【００２１】
図２は、前記信号処理装置１の概略構成を示しており、該信号処理装置１は、演算制御部７（ＣＰＵ）、記憶部８、操作部９、ＩＰ設定部１１、入出力制御部１２を備え、該入出力制御部１２を介して前記無線ＬＡＮ親機３より信号の入出力がなされる。
【００２２】
前記記憶部８は、前記受光装置２の照度測定作動等、該受光装置２の作動を制御する為のプログラム、前記受光器４のＩＰアドレスを設定、更新する為のＩＰアドレス設定プログラム等を格納し、又前記受光器４のＩＰアドレス情報を格納し、該受光器４から送信された照度測定情報をＩＰアドレスと関連付けて格納する為のデータ格納部を有している。
【００２３】
尚、前記演算制御部７、前記ＩＰアドレス設定プログラム等はＩＰアドレス設定部を構成する。
【００２４】
図３は、前記受光器４の概略構成を示しており、受光部１４、受光器表示部１５、受光器操作部１６、信号処理部１７、受光器演算制御部（ＣＰＵ）１８、受光器記憶部１９、無線ＬＡＮ端末５を有する。
【００２５】
前記受光部１４は受光結果を前記信号処理部１７に送出し、該信号処理部１７では所要の信号処理、例えば増幅、Ａ／Ｄ変換等の信号処理を行う。又、図３中、２０は電源部を示し、該電源部２０は充電可能な電池であり、前記受光器表示部１５、前記信号処理部１７、前記受光器演算制御部１８、前記受光器記憶部１９等に必要な電力を供給する。
【００２６】
前記受光器演算制御部１８は、前記信号処理部１７の作動を制御すると共に前記信号処理部１７で処理した信号を、照度測定信号として前記受光器記憶部１９に格納し、或は前記無線ＬＡＮ端末５を介して前記信号処理装置１に送信する。又、前記受光器演算制御部１８は、前記無線ＬＡＮ親機３、前記無線ＬＡＮ端末５を介して前記信号処理装置１からの命令を受信し、命令に従い前記受光部１４、前記受光器表示部１５等の制御を実行する。
【００２７】
前記受光器記憶部１９には、ＩＰアドレスが記憶され、又前記信号処理部１７が信号処理する為のプログラム、前記信号処理装置１からの命令を実行する為のプログラム等が格納されている。
【００２８】
上記照度測定装置の作動について、図４を参照して説明する。
【００２９】
図４は、プロジェクタ２２がスクリーン２３に投影した場合の、該スクリーン２３上での照度を測定する場合を示している。尚、図４では、前記受光器４を、マトリックス状に９箇所（受光器４ａ〜受光器４ｉ）に設置した例を示している。
【００３０】
予め、各受光器４ａ〜受光器４ｉに、ＩＰアドレス＊＊＊．１〜＊＊＊．９を設定し、設定が完了された前記受光器４を、順次配置していく。
【００３１】
配置が完了すると、前記信号処理装置１から識別指令を発する。識別指令は、識別したい受光器４について、前記操作部９よりＩＰアドレスを指定して識別情報を入力する。
【００３２】
前記演算制御部７は、前記ＩＰ設定部１１で識別情報に基づき識別指令を作成し、前記入出力制御部１２、前記無線ＬＡＮ親機３を介して前記受光器４に識別指令を送信する。
【００３３】
識別指令を受信し、前記受光器演算制御部１８が識別指令のＩＰアドレスが前記受光器記憶部１９に格納された自己のＩＰアドレスかどうかを判断し、合致すると判断した場合は、受光器４が識別指令に対応した応答作動を実行する。
【００３４】
応答作動は、例えば、前記受光器演算制御部１８が前記受光器表示部１５を点滅させる、或はブザー（図示せず）を鳴らす、或は前記受光器表示部１５の点滅と同時にブザーを鳴らす等である。尚、前記受光器表示部１５を点滅させる代りに、別途告知用の発光ダイオードを設け、発光ダイオードを点滅させてもよい。又、前記受光器表示部１５を液晶表示部とし、バックライトを点滅させてもよい。ここで、前記受光器表示部１５、ブザー、発光ダイオード等は告知手段として機能する。
【００３５】
作業者は、前記信号処理装置１からＩＰアドレス、識別情報を入力することで、対応する受光器４が反応するので、どの受光器４を何処に配置したかを直ちに確認することができる。尚、電力の節約の為、前記受光器表示部１５の点灯は、識別作動の時のみとし、設置中、測定中は消灯してもよい。
【００３６】
全ての受光器４に対して、識別指令を発し、前記スクリーン２３上での受光器４の配置を確認する。
【００３７】
配置の確認が完了すると、前記プロジェクタ２２より基準となる光、或は測定したい光量の光を投影する。
【００３８】
前記受光部１４が受光し、受光信号を前記信号処理部１７に出力し、該信号処理部１７が受光信号を処理し、照度測定信号として出力する。前記受光器演算制御部１８は照度測定信号を前記受光器記憶部１９に格納する。
【００３９】
更に、照度測定信号は前記無線ＬＡＮ端末５を介して送信され、前記無線ＬＡＮ親機３を介して前記信号処理装置１に受信される。該信号処理装置１は、前記受光器４から送信された照度測定信号を、ＩＰアドレスと対応させ、前記記憶部８に格納する。
【００４０】
作業者が照度測定結果を知りたい場合は、前記操作部９を操作して、知りたい場所の受光器４のＩＰアドレスを指定し、照度測定信号を呼出し、前記表示部１０に照度測定結果として表示させる。或は、図化し、測定個所に対応させて、照度を表示し、適宜照度分布を作成する。
【００４１】
本実施例では、設置した受光器４を前記信号処理装置１によって確認できるので、作業者は、前記受光器４のＩＰアドレスを気にすることなく、任意な位置に任意の受光器４を配置できる。又、ケーブルで接続されていないので、配置作業がケーブルにより制約されることもない。
【００４２】
又、前記信号処理装置１はＩＰ設定部１１を具備しているので、前記受光器４を適当に配置した後、配置した位置に対応してＩＰアドレスを設定し直すことが可能である。
【００４３】
例えば、受光器４ａ〜４ｉを図４に示す配置とした場合、最上段の左側の受光器４のＩＰアドレスを＊＊＊．１とし、中央を＊＊＊．２、右側を＊＊＊．３、２段目の左を＊＊＊．４、２段目の中央を＊＊＊．５等、左から右に、更に上から下に順次番号を増やしてＩＰアドレスを設定すると、ＩＰアドレスと配置位置の対応が容易となり、データ処理が簡単になる。
【００４４】
又、受光器４の１つが故障した場合にも、他の受光器４による測定、及び受光器４と信号処理装置１間のデータの授受には支障がなく、照度測定には大きな支障は及さない。
【００４５】
而して、本実施例によれば、受光器４のセッティング作業が簡単に行えると共に測定情報の収集、整理が容易になる。
【００４６】
尚、受光器４は１つの場合でも実施可能であることは言う迄もない。
【符号の説明】
【００４７】
１              信号処理装置
２              受光装置
３              無線ＬＡＮ親機
４              受光器
５              無線ＬＡＮ端末
７              演算制御部
８              記憶部
９              操作部
１０            表示部
１１            ＩＰ設定部
１２            入出力制御部
１４            受光部
１５            受光器表示部
１６            受光器操作部
１７            信号処理部
１８            受光器演算制御部
１９            受光器記憶部
２０            電源部
２２            プロジェクタ
２３            スクリーン
【図１】
2013156126.tif 000003
【図２】
2013156126.tif 000004
【図３】
2013156126.tif 000005
【図４】
2013156126.tif 000006